(57)【要約】      （修正有）【課題】ヒートポンプ給湯装置のヒートポンプ式熱源機の小型化を図りながら送風装置の送風能力を高めること。【解決手段】圧縮機20と湯水加熱用熱交換器21と膨張手段と蒸発熱交換器18とを冷媒回路で接続したヒートポンプ式熱源機3と、貯湯槽とを備えたヒートポンプ給湯装置であって、蒸発熱交換器18に対して外気を導入するための送風装置を備えたヒートポンプ給湯装置において、前記送風装置は、略長方形の複数の送風口53aを有する誘引通風方式の送風装置である。前記ヒートポンプ式熱源機3は、前記蒸発熱交換器18が配置される送風室31と、前記圧縮機20が配置され且つ隔壁42により送風室31から仕切られた機械室32とを有し、送風機50は機械室32に配置されて機械室32内の温かい空気を吸入、送風機50で加圧した加圧空気がダクトを介して誘引通風のための空気流を生成する誘引通風ノズル53へ供給される。【選択図】図３
2014228248.tif 000002
【特許請求の範囲】
【請求項１】
圧縮機と湯水加熱用熱交換器と膨張手段と蒸発熱交換器とを冷媒回路で接続したヒートポンプ式熱源機と、貯湯槽とを備えたヒートポンプ給湯装置であって、蒸発熱交換器に対して外気を導入するための送風装置を備えたヒートポンプ給湯装置において、
前記送風装置は、誘引通風方式の送風装置であることを特徴とするヒートポンプ給湯装置。
【請求項２】
前記誘引通風方式の送風装置は複数の送風口を有し、
前記各送風口の形状は略長方形であることを特徴とする請求項１に記載のヒートポンプ給湯装置。
【請求項３】
前記ヒートポンプ式熱源機は、前記蒸発熱交換器が配置される送風室と、前記圧縮機が配置され且つ隔壁により送風室から仕切られた機械室とを有し、
前記誘引通風のための空気流を生成する送風機は前記機械室に配置されたことを特徴とする請求項１又は２に記載のヒートポンプ給湯装置。
【発明の詳細な説明】
【技術分野】
【０００１】
本発明はヒートポンプ給湯装置に関するものである。
【背景技術】
【０００２】
従来から、圧縮機と湯水加熱用熱交換器と膨張手段と蒸発熱交換器とを冷媒回路で接続して外装ケース内に収容してなるヒートポンプ式熱源機と、温水を貯留する貯湯タンクと、を備えたヒートポンプ給湯装置が実用に供されている。このヒートポンプ給湯装置においては、前記ヒートポンプ式熱源機は、その蒸発熱交換器に対して外気を導入する送風ファンも装備されている。この送風ファンとして、通常、プロペラファン（１種の軸流ファン）が採用されている。
【０００３】
ヒートポンプ給湯装置において、冷媒回路に封入された冷媒を利用して給湯加熱運転が行われる。この給湯加熱運転では、夜間割引の安価な電力を利用して、圧縮機と送風ファンが駆動され、蒸発熱交換器において外気から熱を吸収し、貯湯タンク内の湯水を循環させて凝縮器により冷媒と湯水との間で熱交換が行われて湯水が加熱され、その加熱された湯水を貯湯タンクに貯留しておき、蛇口や風呂などの所望の給湯先に給湯する
【０００４】
ヒートポンプ熱源機の外装ケース内は、送風室と機械室とに隔壁でもって区画され、送風室内の背面側と側面側には平面視Ｌ形の蒸発熱交換器が配置され、送風室の内部には送風ファンとこの送風ファンの外周を覆う導風用シュラウドが配置され、外装ケースの前面カバーには送風ファンに対応する円形の送風口が形成されている。
送風ファンが駆動されている状態では、外気が蒸発熱交換器を通って送風室内へ導入されて送風口から排出され、外気と蒸発熱交換器との間で熱交換がなされる。
【０００５】
一方、特許文献１に記載の誘引通風方式のファン組立体（タワーファン）は、縦長の長円形のノズルと、この下部に連結された円筒形のベースとを有する。ノズルは、縦長の長円形に形成され、このノズルの内周面の後端近傍部には、１〜２ｍｍ程度の隙間からなるスリット状の長円形状の吹出し口が形成されている。円筒形のベース内には、ターボファンが組み込まれており、高速回転するターボファンにより発生した高速の空気流をノズル内の内部通路に導入し、スリット状の吹出し口から前方向きに噴出させ、その空気流によりノズルの内側の中心開口（送風口）に外気を誘引通風させて前方へ向って流れる安定した空気流を発生させる。
【先行技術文献】
【特許文献】
【０００６】
【特許文献１】特開２０１３−４０６２０号公報
【発明の概要】
【発明が解決しようとする課題】
【０００７】
ヒートポンプ式熱源機において、ＣＯＰ（動作係数）を高めるため外気から吸収する熱量を増すためには、送風ファンの回転数を高めて風量を増加させることが有効である。
しかし、送風ファンの回転数を高めると送風ファンとその付近で発生する騒音レベルが高くなるという問題がある。そこで、送風ファンのプロペラ径を大きくすることが考えられるが、この場合ヒートポンプ式熱源機が大型化してしまう。
プロペラファンからなる送風ファンでは、送風口が円形になるため、この円形の外側に対応する部分である送風室の上下左右の４隅部分に送風に殆ど寄与しないデッドスペースが発生してしまうため、ヒートポンプ式熱源機の小型化を図ることは容易ではない。
【０００８】
本発明の目的は、ヒートポンプ給湯装置のヒートポンプ式熱源機の小型化を図りながら送風装置の送風能力を高めることである。
【課題を解決するための手段】
【０００９】
請求項１のヒートポンプ給湯装置は、圧縮機と湯水加熱用熱交換器と膨張手段と蒸発熱交換器とを冷媒回路で接続したヒートポンプ式熱源機と、貯湯槽とを備えたヒートポンプ給湯装置であって、蒸発熱交換器に対して外気を導入するための送風装置を備えたヒートポンプ給湯装置において、前記送風装置は、誘引通風方式の送風装置であることを特徴としている。
【００１０】
請求項２のヒートポンプ給湯装置は、請求項１の発明において、前記誘引通風方式の送風装置は複数の送風口を有し、前記各送風口の形状は略長方形であることを特徴としている。
【００１１】
請求項３のヒートポンプ給湯装置は、請求項１又は２の発明において、前記ヒートポンプ式熱源機は、前記蒸発熱交換器が配置される送風室と、前記圧縮機が配置され且つ隔壁により送風室から仕切られた機械室とを有し、前記誘引通風のための空気流を生成する送風機は前記機械室に配置されたことを特徴としている。
【発明の効果】
【００１２】
請求項１の発明によれば、ヒートポンプ式熱源機と、貯湯槽とを備えたヒートポンプ給湯装置であって、蒸発熱交換器に対して外気を導入するための送風装置を備えたヒートポンプ給湯装置において、前記送風装置は誘引通風方式の送風装置であるため、送風口の全体の形状を矩形状に設定して送風口面積を拡大することができるため、ヒートポンプ式熱源機の送風能力を高め、ＣＯＰを高めることができる。しかも、送風室内にデッドスペースがなく、送風室の全域に送風が流れるように構成することができるため、ヒートポンプ式熱源機の小型化を図ることができる。また、ファンガードが不要になるので、部品点数を少なくすることができる。
【００１３】
請求項２の発明によれば、前記誘引通風方式の送風装置は複数の送風口を有し、前記各送風口の形状は略長方形であるため、複数の送風口を並べて長方形状領域に配置することができるため、ヒートポンプ式熱源機の送風室の全域に空気流を形成可能となるように送風口全体の面積を拡大することができる。
【００１４】
請求項３の発明によれば、前記ヒートポンプ式熱源機は、前記蒸発熱交換器が配置される送風室と、前記圧縮機が配置され且つ隔壁により送風室から仕切られた機械室とを有し、前記誘引通風のための空気流を生成する送風機は前記機械室に配置されたため、圧縮機からの放熱で温められた機械室内の空気を送風機に吸入して蒸発熱交換器に供給することができるため機械室内の排熱を有効利用することができる。また、機械室の周囲の壁部には圧縮機で発生する騒音を遮音するための遮音部材が設けられているため、送風機とその周辺で発生して外部へ伝播する騒音の騒音レベルを下げることができる。
【図面の簡単な説明】
【００１５】
【図１】本発明の実施例１に係るヒートポンプ式熱源機を備えたヒートポンプ給湯装置の概略構成図である。
【図２】ヒートポンプ式熱源機の斜視図である。
【図３】ヒートポンプ式熱源機の要部の斜視図である。
【図４】ヒートポンプ式熱源機の要部の拡大斜視である。
【図５】ヒートポンプ式熱源機の内部構造の平面図である。
【図６】実施例２に係るヒートポンプ式熱源機の斜視図である。
【図７】図６のヒートポンプ式熱源機の内部構造の要部平面図である。
【図８】実施例３に係るヒートポンプ式熱源機の斜視図である。
【図９】図８のヒートポンプ式熱源機の要部斜視図である。
【図１０】実施例４に係るヒートポンプ式熱源機の斜視図である。
【発明を実施するための形態】
【００１６】
以下、本発明を実施するための形態について実施例に基づいて説明する。
【実施例１】
【００１７】
先ず、ヒートポンプ給湯装置１の全体構成について説明する。
図１に示すように、ヒートポンプ給湯装置１は、温水を貯留する大容量の貯湯タンク１２を備えた貯湯タンクユニット２、ヒートポンプ回路を有するヒートポンプ式熱源機３、貯湯タンクユニット２とヒートポンプ式熱源機３との間に湯水を循環させる温水循環用配管９ａ，９ｂを含む配管系（弁類やポンプを含む）などを備えている。
【００１８】
次に、貯湯タンクユニット２について簡単に説明する。
図１に示すように、貯湯タンクユニット２は、縦長筒状の外周面を有する貯湯タンク１２、各種の配管６，７，８，９ａ，９ｂ，１０、主制御ユニット１１、外装ケース１４などを備えている。貯湯タンク１２は、ヒートポンプ式熱源機３で加熱された高温の温水を貯留するものであり、耐腐食性に優れたステンレス製の板材で構成されている。
【００１９】
貯湯タンク１２の下端部には、水道管などの給水用配管７と温水循環用配管９ａに接続される下部配管８が接続されている。貯湯タンク１２の外面側を覆う保温材１３は、例えば、発泡ポリプロピレン、発泡ポリスチレンなどの樹脂を発泡成形した発泡断熱材で構成されている。
【００２０】
貯湯タンク１２の上端部には、温水循環用配管９ｂと出湯用配管６に接続される上部配管１０が接続されている。上部配管１０には開閉弁１７が設けられている。通常は開閉弁１７が開弁されていて、温水循環用配管９ｂから上部配管１０を通って戻された高温の温水（例えば、８０〜９０℃）を貯湯タンク１２内に貯留することができ、給湯時には貯湯タンク１２内の高温の温水を上部配管１０に供給することができる。
【００２１】
貯湯タンク１２には、複数の温度センサ１２ａ〜１２ｄが高さ方向所定間隔おきの位置に配置されている。温度センサ１２ａ〜１２ｄは主制御ユニット１１に接続されており、温度センサ１２ａ〜１２ｄの温度検出信号が主制御ユニット１１に供給される。
【００２２】
外装ケース１４は、薄鋼板製の箱状に形成され、主制御ユニット１１、貯湯タンク１２、配管類６，７，８，１０、温水循環用配管９ａ，９ｂの大部分、液送ポンプ１６、開閉弁１７、混合弁２７、複数の温度センサ２８〜３０などを収容している。
【００２３】
次に、ヒートポンプ式熱源機３について説明する。
図１，図２に示すように、ヒートポンプ式熱源機３は、蒸発熱交換器１８（外気熱吸収用熱交換器）と、圧縮機２０と、凝縮器としての湯水加熱用熱交換器２１と、高圧の冷媒を急膨張させて温度と圧力を下げる膨張弁２２とを有し、これら機器１８，２０，２１，２２が冷媒配管２３を介して接続されヒートポンプ回路を構成し、冷媒配管２３に収容された冷媒を利用して給湯加熱運転を行う。
【００２４】
ヒートポンプ式熱源機３は、さらに蒸発熱交換器用の送風装置１９と、主制御ユニット１１に接続され且つヒートポンプ式熱源機３を制御する補助制御ユニット２４と、これらを収納する外装ケース２５などを備えている。
図２、図３に示すように、外装ケース２５は、薄鋼板製の箱状に形成され、左右１対の側板３５，３６と、前側板３７と、後側板３８と、天板４０と、底板４１とを備えている。
【００２５】
外装ケース２５内には、鉛直な縦仕切り板４２と水平な横仕切り板（図示略）とが設けられ、夫々が薄鋼板製のものである。縦仕切り板４２は、外装ケース２５内を蒸発熱交換器１８や送風装置１９の送風機５０以外の部分が配置された左側の送風室３１と、送風装置１９の送風機５０や圧縮機２０や膨張弁２２等が配置された右側の機械室３２とに区画している。
【００２６】
右側板３６には、下側が膨出した形状の配管カバー４５が取り付けられ、この配管カバー４５により温水循環用配管９ａ，９ｂの内部配管部分と外部配管部分を接続する配管接続部が覆われている。前側板３７には、外装ケース２５内の送風室３１内へ空気を導入する矩形状開口部３７ａが形成されている。
【００２７】
蒸発熱交換器１８は、冷媒配管２３に含まれる蒸発通路部１８ａを有し、この蒸発通路部１８ａは複数のフィンを有し、この蒸発熱交換器１８において、蒸発通路部１８ａを流れる冷媒と外気との間で熱交換され、冷媒は外気から吸熱して気化する。
蒸発熱交換器１８は、送風室３１内に前後に間隔を空けて平行に配置された２つの第１，第２蒸発熱交換器１８Ａ，１８Ｂで構成されている。誘引通風方式の送風装置１９を採用する関係上、送風室３１内に２つの第１，第２蒸発熱交換器１８Ａ，１８Ｂを前後に並べて配置することが可能になった。
【００２８】
湯水加熱用熱交換器２１は、横仕切り板（図示略）の上面側に配置されている。湯水加熱用熱交換器２１は、熱交換器通路部２１ａと冷媒配管２３の一部となる内部通路２１ｂとを有する銅製の二重管で構成されている。この湯水加熱用熱交換器２１において、内部通路２１ｂを流れる冷媒と温水循環用配管９ａから熱交換器通路部２１ａに供給される湯水との間で熱交換され、湯水は加熱され冷媒は冷却され液化する。
【００２９】
圧縮機２０は、気相状態の冷媒を断熱圧縮して温度上昇させる公知の密閉型圧縮機である。膨張弁２２は液相状態の冷媒を断熱膨張させ温度低下させる。この膨張弁２２は絞り量が可変な制御弁からなる。尚、膨張弁２２の代わりに絞り量が一定の膨張弁を採用しても良い。
【００３０】
次に、送風装置１９について詳しく説明する。
図２〜図５に示すように、送風装置１９は誘引通風方式の送風装置である。送風装置  １９は、機械室３２に配置され且つ機械室３２内の空気を吸入して加圧する送風機５０と、この送風機５０で加圧された空気流を導くダクト５２と、ダクト５２に立設された複数の誘引通風ノズル５３などを備えている。
【００３１】
送風機５０は、機械室３２の前部に隔壁４２に隣接する状態に配設されている。この送風機５０は、例えばシロッコファン（図示略）からなるファン本体部５０ａと、駆動モ―タ（図示略）と吸入通路を含む吸入部５０ｂとを有する。但し、送風機５０としては、シロッコファン以外のターボファンやクロスフローファンやその他のファンを用いてもよい。
【００３２】
前記ダクト５２は、送風機５０から吐出される空気を導くもので、合成樹脂又は金属材料製の矩形断面の閉断面部材で形成され、矩形状開口部３７ａの下端に上端を揃えた状態で送風室３１の前端部分に配設されている。
【００３３】
複数の誘引通風ノズル５３として、本実施例では例えば５つの誘引通風ノズル５３がダクト５２に立設されている。誘引通風ノズル５３は例えば合成樹脂製の中空部材５４で構成され、この中空部材５４の内部の内部空気通路５４ａの下端がダクト５２内の空気通路  ５２ａに連通されている。
【００３４】
誘引通風ノズル５３は、縦に細長いほぼ長方形状の送風口５３ａを形成する縦長のアーチ形状に構成されている。中空部材５４の断面は前後方向に細長い偏平な台形であり、送風口５３ａは後方（送風室３１内）に向って左右幅が拡大している。中空部材５４の送風口５３ａ側の内面の前端寄り部位には、１〜２ｍｍ程度の隙間からなる高速空気流形成用のスリット５４ｂが、連続的又は間欠的に形成されている。スリット５４ｂから噴出する高速空気流の方向は、送風口５３ａの中心側へ指向するように前後方向に対して数度傾斜している。
【００３５】
中空部材５４の内部の前端側部分には、内部空気通路５４ａ内の空気流をスリット５４ｂ側へ方向変換させるためのディフューザ５４ｃが上下方向に適当間隔おきに形成されている。本実施例の場合、誘引通風ノズル５３とそれに隣接する誘引通風ノズル５３との間には隙間５５が形成され、また、左端側の誘引通風ノズル５３の左側にも同様の隙間５６が形成され、右端側の誘引通風ノズル５３の右側にも同様の隙間５７が形成されている。但し、上記の隙間５５〜５７は省略してもよい。
【００３６】
送風機５０を駆動すると、送風機５０の吸入部５０ｂの後面側から機械室３２内の温かい空気が吸入され、送風機５０で加圧された空気流はダクト５２を介して複数の誘引通風ノズル５３へ流れ、複数の誘引通風ノズル５３のスリット５４ｂから後方へ向けて高速空気流となって噴出して、その高速空気流が送風口５３ａ内を流れる際の負圧により外気が誘引されて送風室３１内の全域に後方へ流れる安定した空気流が発生し、その空気流が第１，第２蒸発熱交換器１８Ａ，１８Ｂで冷媒と熱交換して低温の空気となり、その後外装ケース２５の後面板３８に形成された排気口（図示略）から外部へ排出される。尚、隙間５５〜５７にも誘引通風の空気流と連動して空気流が発生する。
【００３７】
ヒートポンプ式熱源機３において、圧縮機２０により高圧に圧縮された加熱状態の冷媒は、湯水加熱用熱交換器２１に送られ、液送ポンプ１６の駆動により貯湯タンク１２の下端部から下部配管８と温水循環用配管９ａを経て熱交換器通路部２１ａに流入した温水又は水と熱交換してその温水又は水を暖め、加熱された温水が温水循環用配管９ｂ、上部配管１０を通って貯湯タンクユニット２の貯湯タンク１２に貯留され、ヒートポンプ式熱源機３を経由する加熱動作を繰り返すことで貯湯タンク１２に高温の温水が貯留される。
【００３８】
主制御ユニット１１は、ユーザーが操作可能な操作リモコン３５との間でデータ通信可能であり、操作リモコン３５のスイッチ操作により目標給湯温度が設定されると、その目標給湯温度データが操作リモコン３５から主制御ユニット１１に送信される。主制御ユニット１１は、給湯加熱運転時には、目標給湯温度データ及び温度センサ１２ａ〜１２ｄからの温度検知データに基づいて、ヒートポンプ式熱源機３で温水を加熱する加熱温度を決定し、補助制御ユニット２４にその加熱温度を指示する。
【００３９】
ユーザーが給湯操作を行なうと、貯湯タンク１２に貯留された温水が出湯用配管６に流れ、その温水と給水用配管７から供給される水道水とが混合弁２７で混合され、所定の温度となって蛇口などの給湯栓４に給湯される。混合弁２７の上流部、下流部、給水用配管７の途中部には、夫々、温水温度又は入水温度を検知するための温度センサ２８〜３０が設けられ、これら温度センサ２８〜３０の検出信号が主制御ユニット１１に供給されている。主制御ユニット１１は、これら温度センサ２８〜３０で検知された温度検知データに基づいて、混合弁２７を制御して温水と水の混合比を調節することで給湯する温水の温度を調整して給湯する。
【００４０】
補助制御ユニット２４は、主制御ユニット１１との間でデータ通信可能であり、主制御ユニット１１からの指令に従ってヒートポンプ式熱源機３の各種機器（送風機モータ、圧縮機２０など）の駆動制御を行う。湯水加熱用熱交換器２１の出口側部分において、温水循環用配管９ｂには温水温度を検知するための温度センサ２６が設けられ、その検出信号が主制御ユニット１１に供給され、補助制御ユニット２４は、指令温度と温度検知データを主制御ユニット１１から受けて、温水の加熱温度が指令された温度となるように、ヒートポンプ式熱源機３を作動させる。
【００４１】
以上のヒートポンプ給湯装置１の作用、効果について説明する。
前記送風装置１９は誘引通風方式の送風装置であり、複数の送風口５３ａの各々はほぼ長方形状であるため、複数の送風口５３ａを並べて、送風室３１の前面の矩形開口３７ａの全域を送風口とすることができる。このように、送風口面積を拡大することができるため、ヒートポンプ式熱源機３の送風能力を高め、ＣＯＰを高めることができる。しかも、送風室３１内にデッドスペースがなく、送風室３１の全域に空気が流れるように構成することができるため、ヒートポンプ式熱源機３の小型化を図ることができる。
【００４２】
送風室３１内に第１，第２蒸発熱交換器１８Ａ，１８Ｂを前後に間隔を空けて平行に配置するため、蒸発熱交換器１８の構造を簡単化できるうえ、熱交換性能を高めることもできる。
【００４３】
ヒートポンプ式熱源機３は、蒸発熱交換器１８が配置される送風室３１と、圧縮機２０  が配置され且つ隔壁４２により送風室３１から仕切られた機械室３２とを有し、送風機５０は周囲が薄鋼板で覆われ且つ遮音部材で遮音性を高めた機械室３２に配置されるため、送風機５０と周辺で発生して外部へ伝播する騒音の騒音レベルを格段に下げることができる。しかも、機械室３２内の空気は圧縮機２０からの放熱により温められており、この温かい空気を送風機５０に吸入して蒸発熱交換器１８へ供給するため、蒸発熱交換器１８における吸熱性能を高めることもできる。
【実施例２】
【００４４】
実施例２に係るヒートポンプ式熱源機３Ａについて説明する。
但し、前記ヒートポンプ式熱源機３と同様の構成に同様の符号を付して説明を省略し、異なる構成についてのみ説明する。
【００４５】
図６、図７に示すように、本実施例の送風装置１９Ａにおいては、縦向きのストレート状の複数（例えば６本）の中空部材６０がダクト５２に立設され、これら複数の中空部材６０でもって誘引通風ノズルが構成され、これら複数の中空部材６０の間に縦長の長方形状の複数の送風口６１が形成され、左端側の中空部材６０の左側にも送風口６１が形成され、右端側の中空部材６０の右側にも送風口６１が形成されている。こうして、複数の送風口６１が、前面板４７の矩形状開口部３７ａの全域を占める大面積の送風口として形成されている。
【００４６】
中空部材６０は、薄鋼板製の偏平溝形部材６２と、薄鋼板製のスリット形成部材６３とで、前後に細長の偏平な台形断面に形成されている。中空部材６０の内部には内部空気通路６０ｄが形成されている。偏平溝形部材６２は、左右１対の側面板６２ａとこれら側面板の後端を塞ぐ後面板６２ｂとを一体形成したもので、左右の側面板６２ａ間の間隔は後方(送風室３１側)に向って拡大している。左右の側面板６２ａの前端部分にはスリット形成部６２ｃが形成され、１対のスリット形成部６２ｃの間隔は前方に向って僅かに減少している。
【００４７】
スリット形成部材６３は、左右１対の側面板６３ａとこれら側面板６３ａの前端を塞ぐ前面板６３ｂとを一体形成したもので、１対の側面板６３ａ間の間隔は後方に向って僅かに拡大している。スリット形成部材６３の１対の側面板６３ａが１対のスリット形成部６２ｃに接近状に外嵌されて、側面板６３ａとスリット形成部６２ｃとの間に１〜２ｍｍ程度の隙間からなるスリット６４が形成され、側面板６３ａとスリット形成部６２ｃとが上下方向適当間隔おきの部位においてスポット的に接合されている。
【００４８】
中空部材６０の内部には、複数のディフューザ（図示略）が上下方向に適当間隔おきの部位に形成されている。中空部材６０の下端部は、ダクト５２Ａの上面に接合され、内部空気通路６０ｄがダクト５２Ａ内の空気通路に連通されている。
【００４９】
実施例１の送風装置１９と同様に、送風機５０から加圧空気がダクト５２Ａ内へ供給され、その加圧空気がダクト５２Ａ内を通って中空部材６０内の内部空気通路６０ｄへ供給され、スリット６４から高速空気流として後方向きに噴出させることで、送風口６１に誘引通風を発生させ、送風室３１内に後方へ流れる安定した空気流が形成される。
この送風装置１９Ａにおいては、簡単な構造の偏平溝形部材６３と、簡単な構造のスリット形成部材６３とで中空部材６０を形成するため、誘引通風方式の送風装置１９Ａの製作コストを低減することができる。この送風装置１９Ａのその他の作用、効果は実施例１と同様である。
【実施例３】
【００５０】
実施例３に係るヒートポンプ式熱源機３Ｂについて説明する。
但し、前記ヒートポンプ式熱源機３と同様の構成に同様の符号を付して説明を省略し、異なる構成についてのみ説明する。
【００５１】
図８、図９に示すように、本実施例の送風装置１９Ｂでは、横向きのストレート状の複数（例えば、６本）の中空部材６０Ｂが上下に間隔を空けて配設され、これら中空部材６０Ｂの右端部が送風室３１内に立設された縦向きダクト５２Ｂに接合され、これら中空部材６０Ｂの左端部は連結板６５に接合されている。
これら複数の中空部材６０Ｂでもって誘引通風ノズルが構成され、これら複数の中空部材６０Ｂの間に横長長方形状の複数の送風口６１Ｂが形成され、上端側の中空部材６０Ｂの上側にも送風口６１Ｂが形成され、下端側の中空部材６０Ｂの下側にも送風口６１Ｂが形成されている。こうして、複数の送風口６１Ｂが前面板３７の矩形状開口部３７ａの全域を占める大面積の送風口として形成されている。
【００５２】
この中空部材６０Ｂは、実施例２の中空部材６０と同様の構造のものであるので、その構造についての説明は省略する。送風機５０からダクト５２Ｂ内へ供給された加圧空気が中空部材６０Ｂの上下両面に形成されたスリット６４から高速空気流として噴出し、送風口６１Ｂに誘引通風を発生させるため、送風室３１内の全域には、後方へ向う安定した空気流が発生する。
【実施例４】
【００５３】
実施例４に係るヒートポンプ式熱源機３Ｃについて説明する。
但し、前記ヒートポンプ式熱源機３，３Ｂと同様の構成に同様の符号を付して説明を省略し、異なる構成についてのみ説明する。
【００５４】
図１０に示すように、このヒートポンプ式熱源機３Ｃの送風装置１９Ｃにおいては、送風室３１の前面側には実施例３と同様の横向き姿勢の複数（例えば６本）の中空部材６０Ｂと、実施例３の送風装置１９Ｂの縦向きダクト５２Ｂと同様の縦向きダクトが配設されている。前記天板４０の左端から約２／３部分には矩形状開口部４０ａが形成され、矩形状開口部４０ａに臨むように複数（例えば３本）の中空部材６０Ｃが送風室３１の天井側部分に配設され、天板４０にも送風室内へ誘引通風する複数の送風口６１Ｃが形成されている。但し、このヒートポンプ式熱源機３Ｃの場合、前記湯水加熱用熱交換器は天板の下面側以外の場所に配置するものとする。
【００５５】
前記天井側の複数の中空部材６０Ｃは、中空部材６０Ｂと同構造のものであり、これら複数の中空部材６０Ｃの右端部は、実施例３の縦向きダクト５２Ｂと同様の縦向きダクトから延びて天板４０の下側に前後向きに配設された横向きダクト（図示略）に接合され、複数の中空部材６０Ｃの左端部は連結板（図示略）に接合されている。
天板４０の矩形開口部４０ａの全域にも複数の送風口６１Ｃを形成するため、送風口  の面積を大幅に拡大することができるため、送風装置１９Ｃの送風量を増大させ、蒸発熱交換器１８の吸熱性能を大幅に増強することができる。
【００５６】
以上説明した実施例を部分的に変更する例について説明する。
（１）前記の実施例では、複数の誘引通風ノズル５３を送風室３１の前面側に配置した例として説明したが、前記ヒート式熱源機３，３Ａ〜３Ｃの前後左右の方向は説明の便宜上の方向に過ぎず、ヒートポンプ式熱源機を住宅の軒下等に設置する場合に、前面板３７（複数の誘引通風ノズル側の面）を住宅の壁面に対向させて設置する場合もある。
【００５７】
（２）誘引通風ノズルの断面形状や構造は、前記実施例のものに限定されるものではなく、種々の断面形状や構造に構成することができる。
（３）実施例４の矩形状開口部４０ａを送風口としてではなく排気口とし、蒸発熱交換器  １８を通過した空気をその排気口から排気するように構成してもよい。但し、この場合、排気口の下側に送風室３１を部分的に仕切る水平な仕切板を設けるものとする。
（４）その他、当業者であれば、本発明の趣旨を逸脱することなく、前記実施例に種々の変更を付加した形態で実施可能であり、本発明はそのような変更形態を包含するものである。
【符号の説明】
【００５８】
１    ヒートポンプ給湯装置
３，３Ａ〜３Ｃ  ヒートポンプ式熱源機
１８  蒸発熱交換器
１９，１９Ａ〜１９Ｃ    送風装置
２０  圧縮機
２１  湯水加熱用熱交換器
２２  膨張弁（膨張手段）
２３  冷媒配管
３１  送風室
３２  機械室
４２  隔壁
５０  送風機
５３  誘引通風ノズル
５３ａ  送風口
５４    中空部材
６０，６０Ｂ，６０Ｃ  中空部材
６１，６１Ｂ，６１Ｃ  送風口
【図１】
2014228248.tif 000003
【図２】
2014228248.tif 000004
【図３】
2014228248.tif 000005
【図４】
2014228248.tif 000006
【図５】
2014228248.tif 000007
【図６】
2014228248.tif 000008
【図７】
2014228248.tif 000009
【図８】
2014228248.tif 000010
【図９】
2014228248.tif 000011
【図１０】
2014228248.tif 000012